(57)【要約】【課題】通信事業者を区別することが難しい高速の通信システムにおいて、容易にローミングできる移動通信装置及び制御方法を提供すること。【解決手段】携帯電話機１は、エリアＡにおいて、低速通信システムＡ−１ｘ及び高速通信システムＡ−ＥＶＤＯの双方との通信が可能な無線通信部４０と、複数の低速通信システムそれぞれが有するシステムＩＤと、当該複数の低速通信システムそれぞれが敷設されている各エリアにおける高速通信システムの接続方式に関する接続情報とを対応付けて記憶する記憶部５０と、無線通信部４０による位置登録の際に捕捉されたシステムＩＤが低速通信システムＢ−１ｘのシステムＩＤであった場合、記憶部５０により当該低速通信システムＢ−１ｘのシステムＩＤと対応付けて記憶されている接続情報に基づいて、高速通信システムＢ−ＥＶＤＯ又はＢ−ＬＴＥとの接続を試行する制御部３０と、を有する。【選択図】図２
2011176640.tif 000002
【特許請求の範囲】
【請求項１】
同一のエリアにおいて、第１の低速通信システム及び第１の高速通信システムの双方との通信が可能な無線通信部と、
複数の低速通信システムそれぞれが有するシステムＩＤと、当該複数の低速通信システムそれぞれが敷設されている各エリアにおける高速通信システムの接続方式に関する接続情報とを対応付けて記憶する記憶部と、
前記無線通信部による位置登録の際に捕捉されたシステムＩＤが第２の低速通信システムのシステムＩＤであった場合、前記記憶部により当該第２の低速通信システムのシステムＩＤと対応付けて記憶されている前記接続情報に基づいて、第２の高速通信システムとの接続を試行する制御部と、を有する移動通信装置。
【請求項２】
前記記憶部は、現在位置登録している前記第１の低速通信システムのシステムＩＤを記憶しており、
前記制御部は、新たに位置登録した際に捕捉された新たなシステムＩＤが前記記憶部に記憶されている前記第１の低速通信システムのシステムＩＤと異なる場合に、前記接続情報を参照する請求項１に記載の移動通信装置。
【請求項３】
前記制御部は、前記第２の高速通信システムとの接続を試行した際に、当該第２の高速通信システムを捕捉できなかった場合、又はセッションを確立できなかった場合、前記第１の高速通信システムとの接続を試行する請求項１又は請求項２に記載の移動通信装置。
【請求項４】
前記制御部は、前記記憶部に、前記第２の低速通信システムのシステムＩＤと対応付けて前記接続情報が記憶されていない場合、前記第２の高速通信システムとの接続を試行しない請求項１又は請求項２に記載の移動通信装置。
【請求項５】
同一のエリアにおいて、第１の低速通信システム及び第１の高速通信システムの双方との通信が可能な無線通信部を有する移動通信装置が、他のエリアにおける通信を制御する制御方法であって、
複数の低速通信システムそれぞれが有するシステムＩＤと、当該複数の低速通信システムそれぞれが敷設されている各エリアにおける高速通信システムの接続方式に関する接続情報とを対応付けて記憶する記憶ステップと、
前記無線通信部による位置登録の際に捕捉されたシステムＩＤが第２の低速通信システムのシステムＩＤであった場合、前記記憶ステップにおいて当該第２の低速通信システムのシステムＩＤと対応付けて記憶されている前記接続情報に基づいて、第２の高速通信システムとの接続を試行する制御ステップと、を含む制御方法。
【発明の詳細な説明】
【技術分野】
【０００１】
本発明は、複数の通信システムによる通信が可能な移動通信装置及び制御方法に関する。
【背景技術】
【０００２】
近年、携帯電話機等の移動通信装置で用いられる通信システムは、より高速な通信が求められ、複数の通信システムが利用可能となっている。例えば、従来からのＣＤＭＡ２０００＿１ｘ方式（以下、１ｘ方式）に加えて、データ通信に特化したＣＤＭＡ２０００＿１ｘ＿ＥＶＤＯ（Ｅｖｏｌｕｔｉｏｎ  Ｄａｔａ  Ｏｎｌｙ（Ｏｐｔｉｍｉｚｅｄ））方式（以下、ＥＶＤＯ方式）が広く利用されている。さらに、ＬＴＥ（Ｌｏｎｇ  Ｔｅｒｍ  Ｅｖｏｌｕｔｉｏｎ）といった規格も登場している。
【０００３】
また、これらの通信システムは、日本国内に限らず海外の通信事業者でも利用されているため、移動通信装置を他の通信事業者のネットワークに接続し、同様のサービス提供を受けるローミングが可能である。このような状況において、特許文献１には、ローミング時に、複数の通信システムから最適な通信システムを選択する技術が提案されている。
【先行技術文献】
【特許文献】
【０００４】
【特許文献１】特表２００８−５００７５６号公報
【発明の概要】
【発明が解決しようとする課題】
【０００５】
ところで、例えば、前述の１ｘ方式及びＥＶＤＯ方式の双方に対応する従来の移動通信装置は、１ｘ方式のローミングには対応しているが、ＥＶＤＯ方式のローミングには対応していない。これは、ＥＶＤＯ方式では、ネットワークとの接続で通信事業者を区別することが難しいこと、通信事業者によって認証方式が異なること、通信事業者によってネットワークプロトコルにおける上位層（例えば、ＰＰＰ）との連携方式が異なること等が理由である。
【０００６】
本発明は、複数の通信システムでハイブリッドに通信可能であり、かつ、通信事業者を区別することが難しい方の通信システムについても、容易にローミングできる移動通信装置及び制御方法を提供することを目的とする。
【課題を解決するための手段】
【０００７】
本発明に係る移動通信装置は、同一のエリアにおいて、第１の低速通信システム及び第１の高速通信システムの双方との通信が可能な無線通信部と、複数の低速通信システムそれぞれが有するシステムＩＤと、当該複数の低速通信システムそれぞれが敷設されている各エリアにおける高速通信システムの接続方式に関する接続情報とを対応付けて記憶する記憶部と、前記無線通信部による位置登録の際に捕捉されたシステムＩＤが第２の低速通信システムのシステムＩＤであった場合、前記記憶部により当該第２の低速通信システムのシステムＩＤと対応付けて記憶されている前記接続情報に基づいて、第２の高速通信システムとの接続を試行する制御部と、を有する。
【０００８】
また、前記記憶部は、現在位置登録している前記第１の低速通信システムのシステムＩＤを記憶しており、前記制御部は、新たに位置登録した際に捕捉された新たなシステムＩＤが前記記憶部に記憶されている前記第１の低速通信システムのシステムＩＤと異なる場合に、前記接続情報を参照することが好ましい。
【０００９】
また、前記制御部は、前記第２の高速通信システムとの接続を試行した際に、当該第２の高速通信システムを捕捉できなかった場合、又はセッションを確立できなかった場合、前記第１の高速通信システムとの接続を試行することが好ましい。
【００１０】
また、前記制御部は、前記記憶部に、前記第２の低速通信システムのシステムＩＤと対応付けて前記接続情報が記憶されていない場合、前記第２の高速通信システムとの接続を試行しないことが好ましい。
【００１１】
本発明に係る制御方法は、同一のエリアにおいて、第１の低速通信システム及び第１の高速通信システムの双方との通信が可能な無線通信部を有する移動通信装置が、他のエリアにおける通信を制御する制御方法であって、複数の低速通信システムそれぞれが有するシステムＩＤと、当該複数の低速通信システムそれぞれが敷設されている各エリアにおける高速通信システムの接続方式に関する接続情報とを対応付けて記憶する記憶ステップと、前記無線通信部による位置登録の際に捕捉されたシステムＩＤが第２の低速通信システムのシステムＩＤであった場合、前記記憶ステップにおいて当該第２の低速通信システムのシステムＩＤと対応付けて記憶されている前記接続情報に基づいて、第２の高速通信システムとの接続を試行する制御ステップと、を含む。
【発明の効果】
【００１２】
本発明によれば、複数の通信システムでハイブリッドに通信可能な移動通信装置は、通信事業者を区別することが難しい方の通信システムについても、容易にローミングが可能となる。
【図面の簡単な説明】
【００１３】
【図１】本発明の実施形態に係る携帯電話機の外観斜視図である。
【図２】本発明の実施形態に係る携帯電話機の機能を示すブロック図である。
【図３】本発明の実施形態に係る接続情報テーブルを示す図である。
【図４】本発明の実施形態に係る携帯電話機の状況を例示する図である。
【図５】本発明の実施形態に係る処理の流れを示すフローチャートである。
【図６】本発明の実施形態に係る処理の流れを示すフローチャートの続きである。
【発明を実施するための形態】
【００１４】
以下、本発明の好適な実施形態の一例について説明する。なお、本実施形態では、移動通信装置の一例として、携帯電話機１を説明する。
【００１５】
図１は、本実施形態に係る携帯電話機１の外観斜視図である。
携帯電話機１は、操作部側筐体２と、表示部側筐体３と、を備えて構成される。操作部側筐体２は、表面部１０に、操作部１１と、携帯電話機１の使用者が通話時や音声認識アプリケーションを利用時に発した音声が入力されるマイク１２と、を備えて構成される。操作部１１は、各種設定機能や電話帳機能やメール機能等の各種機能を作動させるための機能設定操作ボタン１３と、電話番号の数字やメールの文字等を入力するための入力操作ボタン１４と、各種操作における決定やスクロール等を行う決定操作ボタン１５と、から構成されている。
【００１６】
また、表示部側筐体３は、表面部２０に、各種情報を表示するための表示部２１と、通話の相手側の音声を出力するレシーバ２２と、を備えて構成されている。
【００１７】
また、操作部側筐体２の上端部と表示部側筐体３の下端部とは、ヒンジ機構４を介して連結されている。また、携帯電話機１は、ヒンジ機構４を介して連結された操作部側筐体２と表示部側筐体３とを相対的に回転することにより、操作部側筐体２と表示部側筐体３とが互いに開いた状態（開放状態）にしたり、操作部側筐体２と表示部側筐体３とを折り畳んだ状態（折畳み状態）にしたりできる。
【００１８】
図２は、本実施形態に係る携帯電話機１の機能を示すブロック図である。携帯電話機１は、操作部１１と、表示部２１と、制御部３０と、無線通信部４０と、アンテナ４１と、記憶部５０と、音声制御部６０と、を備える。
【００１９】
制御部３０は、携帯電話機１の全体を制御しており、例えば、表示部２１、無線通信部４０、音声制御部６０等に対して所定の制御を行う。また、制御部３０は、操作部１１等から入力を受け付けて、各種処理を実行する。そして、制御部３０は、処理実行の際には、記憶部５０を制御し、各種プログラム及びデータの読み出し、並びにデータの書き込みを行う。なお、本実施形態に係る制御部３０の詳細機能は後述する。
【００２０】
無線通信部４０は、所定の使用周波数帯（例えば、２ＧＨｚ帯や８００ＭＨｚ帯等）で外部装置（基地局）と通信を行う。そして、無線通信部４０は、アンテナ４１より受信した信号を復調処理し、処理後の信号を制御部３０に供給し、また、制御部３０から供給された信号を変調処理し、アンテナ４１から外部装置に送信する。
【００２１】
ここで、無線通信部４０は、音声及びデータ通信用プロトコルである前述の１ｘ方式と、データ通信専用の通信プロトコルである前述のＥＶＤＯ方式とに対応している。無線通信部４０は、制御部３０からの指令に基づいて、これらのプロトコルを用いた通信システムのいずれか又は双方により、通信事業者のネットワークと接続する。
【００２２】
記憶部５０は、例えば、ワーキングメモリを含み、制御部３０による演算処理に利用される。また、本実施形態に係る各種プログラム等を記憶する。さらに、記憶部５０は、１ｘ方式の複数の低速通信システムそれぞれが有するシステムＩＤと、これら複数の低速通信システムそれぞれが敷設されている各エリアにおけるＥＶＤＯ方式の高速通信システムの接続方式に関する接続情報とを対応付けて記憶する。
【００２３】
図３は、本実施形態に係る記憶部５０に格納される接続情報テーブルを示す図である。
接続情報テーブルには、１ｘ方式の低速通信システムのシステムＩＤ（「Ａ」、「Ｂ」及び「Ｃ」）に対応付けて、各システムと同一エリアで提供されるＥＶＤＯ方式の高速通信システムで用いられる認証方式と連携方式とが記憶される。システムＩＤとは、例えばＣＤＭＡ方式においては、電源ＯＮ時やハンドオフ時等における位置登録の際に、位置登録の候補となる基地局と時間的及び符号的な同期を行ったときに、この基地局から得られる報知情報に含まれる事業者や、システムの管理業者を特定することのできるＩＤである。
【００２４】
ここで、認証方式とは、ＰＰＰ（Ｐｏｉｎｔ  ｔｏ  Ｐｏｉｎｔ  Ｐｒｏｔｏｃｏｌ）における、ＰＡＰ（Ｐａｓｓｗｏｒｄ  Ａｕｔｈｅｎｔｉｃａｔｉｏｎ  Ｐｒｏｔｏｃｏｌ）やＣＨＡＰ（Ｃｈａｌｌｅｎｇｅ  Ｈａｎｄｓｈａｋｅ  Ａｕｔｈｅｎｔｉｃａｔｉｏｎ  Ｐｒｏｔｏｃｏｌ）等の認証プロトコルをいう。また、連携方式とは、標準規格で規定されていない、ＰＰＰのようなネットワークプロトコルの上位層でのセッション接続及び開放のタイミング、時間規定等をいう。
【００２５】
例えば、システムＩＤ「Ａ」のエリアでは、携帯電話機１は、「方式Ａ」の認証方式と「方式Ａ」の連携方式とを用いて、ＥＶＤＯ方式の高速通信システムへローミングが可能である。また、システムＩＤ「Ｂ」のエリアでは、携帯電話機１は、「方式Ｂ」の認証方式と「方式Ｂ」の連携方式とを用いて、ＥＶＤＯ方式の高速通信システムへローミングが可能である。ここで、システムＩＤ「Ｃ」のエリアでは、ＥＶＤＯ方式の高速通信システムが提供されていないため、接続情報テーブルには、認証方式及び連携方式に「非対応」と記憶される。
【００２６】
さらに、接続情報テーブルには、ＥＶＤＯ方式の高速通信システムに限らず、他の高速通信システムに関しても、同様に接続情報が記憶されてよい。例えば、前述のＬＴＥ方式の高速通信システムについても、認証方式及び連携方式が記憶され、例えば、システムＩＤ「Ａ」に対応して、認証方式「方式ＡＬ」及び連携方式「方式ＡＬ」が記憶される。
【００２７】
音声制御部６０は、制御部３０の制御に従って、無線通信部４０から供給された信号に対して所定の音声処理を行い、処理後の信号をレシーバ２２に出力する。レシーバ２２は、音声制御部６０から供給された信号を外部に出力する。なお、この信号は、レシーバ２２に代えて、又はレシーバ２２と共に、スピーカ（図示せず）から出力されるとしてもよい。
【００２８】
また、音声制御部６０は、制御部３０の制御に従って、マイク１２から入力された信号を処理し、処理後の信号を無線通信部４０に出力する。無線通信部４０は、音声制御部６０から供給された信号に所定の処理を行い、処理後の信号をアンテナ４１より出力する。
【００２９】
次に、携帯電話機１の制御部３０の機能を、図４に示す状況例で詳述する。
図４に示すように、携帯電話機１は、エリアＡにおいて無線通信部４０により、１ｘ方式の低速通信システムＡ−１ｘ（第１の低速通信システム）及びＥＶＤＯ方式の高速通信システムＡ−ＥＶＤＯ（第１の高速通信システム）の双方との通信が可能である。なお、記憶部５０は、現在位置登録している低速通信システムＡ−１ｘのシステムＩＤ（ＳＩＤ）「Ａ」を記憶している。
【００３０】
携帯電話機１は、エリアＡからエリアＢへ移動すると、エリアＢで提供されている通信システムのうち、１ｘ方式の低速通信システムＢ−１ｘ（第２の低速通信システム）へローミングする。制御部３０は、ローミング先の基地局へ位置登録する際に、無線通信部４０により捕捉された低速通信システムＢ−１ｘのシステムＩＤ「Ｂ」を取得する。
【００３１】
制御部３０は、新たなシステムＩＤ「Ｂ」を取得すると、記憶部５０に記憶されている低速通信システムＡ−１ｘのシステムＩＤ「Ａ」と異なる場合に、接続情報テーブル（図３）を参照し、このシステムＩＤ「Ｂ」が記憶されているか否かを判定する。そして、接続情報テーブルに記憶されているシステムＩＤであった場合、制御部３０は、このシステムＩＤ「Ｂ」と対応付けて記憶されている接続情報に基づいて、ＥＶＤＯ方式（認証方式「方式Ｂ」、連携方式「方式Ｂ」）又はＬＴＥ方式（認証方式「方式ＢＬ」、連携方式「方式ＢＬ」）の高速通信システム（第２の高速通信システム）との接続を試行する。
【００３２】
続いて、制御部３０は、高速通信システムＢ−ＥＶＤＯ（Ｂ−ＬＴＥ）との接続を試行した際に、この高速通信システムＢ−ＥＶＤＯ（Ｂ−ＬＴＥ）を捕捉できなかった場合、又はセッションを確立できなかった場合、記憶部５０に記憶されているシステムＩＤ「Ａ」に対応する高速通信システムＡ−ＥＶＤＯとの接続を試行する。
【００３３】
また、制御部３０は、記憶部５０に、低速通信システムＢ−１ｘのシステムＩＤ「Ｂ」と対応付けて接続情報が記憶されていない場合、すなわち、システムＩＤ「Ｃ」と同様に、認証方式及び連携方式が「非対応」となっている場合、高速通信システムＢ−ＥＶＤＯ（Ｂ−ＬＴＥ）との接続を試行しない。
【００３４】
通常、携帯電話機１は、１ｘ方式によるシングル動作をしているとき、定期的に（例えば、数分おきに）ＥＶＤＯ方式の高速通信システムの捕捉動作を行い、捕捉できた場合にＥＶＤＯセッションを開始している。携帯電話機１が高速通信システムに非対応のエリアへ移動した場合、制御部３０は、この定期的な高速通信システムの捕捉動作を停止させる。この場合、制御部３０は、さらに別のシステムＩＤを取得すると、高速通信システムの捕捉動作を再開させる。
【００３５】
図５及び図６は、本実施形態に係る携帯電話機１における処理の流れを示すフローチャートである。携帯電話機１は、エリアＡにおいて、低速通信システムＡ−１ｘ及び高速通信システムＡ−ＥＶＤＯと接続し、ハイブリッド動作している。
ステップＳ１において、携帯電話機１は、エリアＡからエリアＢへ移動する。
【００３６】
ステップＳ２において、制御部３０は、エリアＢで提供されている低速通信システムＢ−１ｘを捕捉する。
【００３７】
ステップＳ３において、制御部３０は、ステップＳ２で捕捉された低速通信システムＢ−１ｘのシステムＩＤ「Ｂ」を取得する。
【００３８】
ステップＳ４において、制御部３０は、ステップＳ３で取得されたシステムＩＤ「Ｂ」が記憶部５０に記憶されているシステムＩＤから変化したか否かを判定する。制御部３０は、この判定がＹＥＳの場合、ＥＶＤＯ方式の捕捉処理を一旦停止し、高速通信システムＡ−ＥＶＤＯへのセッション確立を試行せずに、処理をステップＳ５に移す。一方、判定がＮＯの場合、すなわちシステムＩＤが仮に「Ａ」のままであれば、同一のシステムと接続してハイブリッド動作が可能なので、処理を終了する。
【００３９】
ステップＳ５において、制御部３０は、ＥＶＤＯ方式あるいはＬＴＥ方式の高速通信システムの捕捉処理を停止している場合に、この捕捉処理を再開させる。
【００４０】
ステップＳ６において、制御部３０は、記憶部５０の接続情報テーブル（図３）を参照し、ステップＳ３で取得されたシステムＩＤ「Ｂ」を検索する。
【００４１】
ステップＳ７において、制御部３０は、ステップＳ６での検索の結果、システムＩＤ「Ｂ」が接続情報テーブルにあるか否かを判定する。制御部３０は、この判定がＹＥＳの場合、処理をステップＳ８に移し、判定がＮＯの場合、処理をステップＳ１４（図６）に移す。
【００４２】
ステップＳ８において、制御部３０は、システムＩＤ「Ｂ」のエリアＢがＥＶＤＯ方式あるいはＬＴＥ方式の高速通信システムに対応しているか否かを判定する。具体的には、制御部３０は、ステップＳ６で検索されたシステムＩＤ「Ｂ」に対応するＥＶＤＯ方式あるいはＬＴＥ方式の接続情報が「非対応」でなければ高速通信システムに対応していると判定し、「非対応」であれば対応していないと判定する。制御部３０は、この判定がＹＥＳの場合、処理をステップＳ９に移し、判定がＮＯの場合、処理をステップＳ１９（図６）に移す。
【００４３】
ステップＳ９において、制御部３０は、ステップＳ６で検索されたシステムＩＤ「Ｂ」に対応するＥＶＤＯ方式あるいはＬＴＥ方式の接続情報に基づいて、高速通信システムの捕捉を試みる。ここで、ＥＶＤＯとＬＴＥの一方しか接続情報がなければ、ある方の捕捉を試みるが、もし両方があれば、より高速なＬＴＥ方式の通信システムであるＢ−ＬＴＥの捕捉を優先して試みる。
【００４４】
ステップＳ１０において、制御部３０は、高速通信システムの捕捉に成功したか否かを判定する。制御部３０は、この判定がＹＥＳの場合、処理をステップＳ１１に移し、判定がＮＯの場合、処理をステップＳ１４（図６）に移す。
【００４５】
ステップＳ１１において、制御部３０は、捕捉に成功した高速通信システムとのセッションの確立処理（例えば、ＰＰＰ確立等）を開始する。
【００４６】
ステップＳ１２において、制御部３０は、高速通信システムとのセッションの確立に成功したか否かを判定する。制御部３０は、この判定がＹＥＳの場合、処理をステップＳ１３に移し、判定がＮＯの場合、処理をステップＳ１４（図６）に移す。
【００４７】
ステップＳ１３において、制御部３０は、低速通信システムＢ−１ｘと高速通信システムとに接続し、ハイブリッド動作を開始する。以降、制御部３０は、システムＩＤが変化するまでの間、捕捉に成功した高速通信システムに対するセッションを常時確立しておくように動作する。つまり、制御部３０は、セッションが通信終了等で開放されると、その都度、自動接続するよう動作する。
【００４８】
なお、ステップＳ１０又はステップＳ１２で判定がＮＯであっても、制御部３０は、ステップＳ８及びＳ９において、ＥＶＤＯとＬＴＥの両方がエリアＢに存在し、より高速なＢ−ＬＴＥについての捕捉を試みた場合においては、再度、今度は捕捉対象をＢ−ＥＶＤＯとした上で、ステップＳ９〜Ｓ１３を行う。それでも捕捉又はセッションの確立に失敗した場合、制御部３０は、処理をステップＳ１４に移す。
【００４９】
ステップＳ１４において、制御部３０は、捕捉を試みた高速通信システムと接続できないため、移動前のエリアＡにおける高速通信システムＡ−ＥＶＤＯの捕捉を試みる。
【００５０】
ステップＳ１５において、制御部３０は、高速通信システムＡ−ＥＶＤＯの捕捉に成功したか否かを判定する。制御部３０は、この判定がＹＥＳの場合、処理をステップＳ１６に移し、判定がＮＯの場合、処理をステップＳ１９に移す。
【００５１】
ステップＳ１６において、制御部３０は、捕捉に成功した高速通信システムＡ−ＥＶＤＯとのセッションの確立処理を開始する。
【００５２】
ステップＳ１７において、制御部３０は、高速通信システムＡ−ＥＶＤＯとのセッションの確立に成功したか否かを判定する。制御部３０は、この判定がＹＥＳの場合、処理をステップＳ１８に移し、判定がＮＯの場合、処理をステップＳ１９に移す。
【００５３】
ステップＳ１８において、制御部３０は、低速通信システムＢ−１ｘと高速通信システムＡ−ＥＶＤＯとに接続し、ハイブリッド動作を開始する。以降、制御部３０は、システムＩＤが変化するまでの間、捕捉に成功した高速通信システムＡ−ＥＶＤＯに対するセッションを常時確立しておくように動作する。つまり、制御部３０は、セッションが通信終了等で開放されると、その都度、自動接続するよう動作する。
【００５４】
ステップＳ１９において、制御部３０は、エリアＢでＥＶＤＯ方式やＬＴＥ方式の高速通信システムと接続できないと判断し、高速通信システムの定期的な捕捉処理を停止する。
【００５５】
ステップＳ２０において、制御部３０は、低速通信システムＢ−１ｘのみに接続し、シングル動作を開始する。
【００５６】
このように、本実施形態によれば、携帯電話機１は、位置登録している低速通信システムのシステムＩＤが変わった場合に、このシステムＩＤに対応して予め記憶部５０に記憶されている接続情報に基づいて、高速通信システムとも接続できる。したがって、携帯電話機１は、通信事業者を区別することが難しい高速の通信システムにおいても、容易にローミングを実現できる。
【００５７】
また、携帯電話機１は、接続情報に基づく高速通信システムとの接続に失敗すると、変更前のシステムＩＤに対応する高速通信システムとの接続を試行する。したがって、携帯電話機１は、いずれかの高速通信システムと高確率で接続できる。
【００５８】
さらに、携帯電話機１は、システムＩＤに対応する高速通信システムの接続情報が記憶されていない場合、定期的に実行されていた不要な高速通信システムの捕捉動作を停止する。したがって、携帯電話機１の処理負荷及び消費電力が低減される。
【００５９】
以上、本発明の実施形態について説明したが、本発明は前述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【００６０】
前述の実施形態では、低速通信システムを１ｘ方式、高速通信システムをＥＶＤＯ方式又はＬＴＥ方式として説明したが、通信システムの組合せはこれらには限られない。本発明は、既定の接続情報により接続可能な通信システムであれば種々のものに適用可能である。
【００６１】
また、本発明に係る移動通信装置は、携帯電話機１には限られず、音声通話機能を持たないデータ専用端末や、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）の他、ゲーム機、ナビゲーション装置、パーソナルコンピュータ等、様々な移動通信装置に適用可能である。
【符号の説明】
【００６２】
１  携帯電話機（移動通信装置）
１１  操作部
２１  表示部
３０  制御部
４０  無線通信部
４１  アンテナ
５０  記憶部
６０  音声制御部
【図１】
2011176640.tif 000003
【図２】
2011176640.tif 000004
【図３】
2011176640.tif 000005
【図４】
2011176640.tif 000006
【図５】
2011176640.tif 000007
【図６】
2011176640.tif 000008